(57)【要約】【課題】線径の異なる２本の電線を端子ネジの左右に振り分けて挿入した場合でも電線の引張り強度を高めて確実に電線を保持できる端子装置を提供する。【解決手段】端子装置は端子板と端子ネジ１０と座金２０とばね座金３０とを備える。座金２０のＸ方向に沿う両側縁には、貫通孔を通り端子板の表面と略垂直な第１の平面ａ１に対して対称な形状の保持溝２２ａ，２２ｂが端子ネジ１０の両側に形成され、これら保持溝２２ａ，２２ｂから同径電線保持部２２が構成される。座金２０のＹ方向に沿う両側縁には、保持溝２３ｂと端子板の表面との間の最大隙間の方が、保持溝２３ａと端子板の表面との間の最大隙間よりも大きくなるように、貫通孔を通り端子板の表面と略垂直な第２の平面ａ２に対して非対称な形状に形成された保持溝２３ａ，２３ｂが端子ネジ１０の両側に形成され、これら保持溝２３ａ，２３ｂから異径電線保持部２３が構成される。【選択図】図１
2005071881.tif 000002
【特許請求の範囲】
【請求項１】
ネジ孔を有する平板状の端子板と、
表面にドライバー溝が形成された頭部および該頭部の裏面に突設された棒状の首部を有し、該首部の先端部に前記ネジ孔と螺合するネジ部が形成された端子ネジと、
表裏を貫通する貫通孔を有し、該貫通孔に端子ネジの首部を挿通した状態で端子ネジに遊嵌されて端子板との間で電線を挟持する座金とで構成され、
座金における端子板との対向面に、貫通孔を通り且つ端子板の表面と略垂直な第１の平面に対して対称な形状に形成された同径電線保持部を設けるとともに、
座金における端子板との対向面に、貫通孔を通り且つ端子板の表面と略垂直な第２の平面を間にした両側部の内、一方の側部と端子板との間の最大隙間が他方の側部と端子板との間の最大隙間よりも大きくなるように、前記第２の平面に対して非対称な形状に形成された異径電線保持部を設けて成ることを特徴とする端子装置。
【請求項２】
前記同径電線保持部及び前記異径電線保持部は、前記第１及び第２の平面が所定の角度で交差するようにして前記座金の同じ面に設けられたことを特徴とする請求項１記載の端子装置。
【請求項３】
前記端子板が固定される端子台を備え、該端子台に電線の挿入方向に沿って端子板の両側に隔壁を設け、前記ネジ部の一部が前記ネジ孔に螺合している状態で、端子板の表面から隔壁の先端までの長さよりも、端子板の表面から前記首部に遊嵌された前記座金までの距離が長くなるように首部の長さを設定したことを特徴とする請求項２記載の端子装置。
【請求項４】
前記座金は表裏両面の何れかを選択的に端子板に対向させて用いられるものであって、前記座金の一方の面に前記同径電線保持部を設けるとともに、他方の面に前記異径電線保持部を設けたことを特徴とする請求項１記載の端子装置。
【請求項５】
前記座金における前記端子板との対向面を前記端子板の表面に対して斜めに傾斜するようなテーパ面に形成するとともに、前記テーパ面の全面に傾斜方向に沿って延びる複数の凹溝を並べて形成することで凹凸を設け、電線の挿入方向から座金を見て端子ネジの左右両側が対称な形状になるように座金が回転した状態で電線を保持する座金の部位で前記同径電線保持部を構成し、電線の挿入方向から座金を見て端子ネジの左右両側が非対称な形状になるように座金が回転した状態で電線を保持する座金の部位で前記異径電線保持部を構成したことを特徴とする請求項１記載の端子装置。
【発明の詳細な説明】
【技術分野】
【０００１】
本発明は、端子装置に関するものである。
【背景技術】
【０００２】
従来より、図１０及び図１１に示すように、ネジ孔を有する平板状の端子板１と、表面にドライバー溝が形成された頭部１１および頭部１１の裏面に突設された首部１２を有し、首部１２の先端部に端子板１のネジ孔と螺合するネジ部１３が形成された端子ネジ１０と、平面視の形状が略矩形状であって、表裏を貫通する貫通孔（図示せず）が中央に設けられ、この貫通孔に端子ネジ１０の首部１２を挿通した状態で端子ネジ１０に遊嵌されて端子板１との間で電線を挟持する座金２０と、端子ネジ１０の首部１２における座金２０と頭部１１との間の部位に遊嵌されたばね座金３０と、端子板１が固定される端子台４０とで構成される端子装置が提供されている（例えば特許文献１参照）。
【０００３】
この端子装置に電線を接続する際には、端子板１と座金２０との間に電線を挿入して、端子ネジ１０を締めると、端子板１と座金２０との間の隙間が狭まって、電線Ｗ１，Ｗ１が端子板１と座金２０との間で挟持される（図１１（ａ）参照）。
【０００４】
ここで、電線の挿入方向から見て端子ネジ１０の左右どちらに電線が挿入されても、同様の締め付け性能が確保されるように、座金２０の下面（端子板１との対向面）は、端子ネジ１０（すなわち貫通孔）を通り、電線の挿入方向（Ｙ方向）と平行で且つ端子板１の表面と略垂直な平面に対して対称な形状に形成されている。
【特許文献１】実開平６−３３３６２号公報
【発明の開示】
【発明が解決しようとする課題】
【０００５】
上記構成の端子装置では送り配線のために２本の電線を接続する場合、図１１（ａ）に示すように２本の電線Ｗ１，Ｗ１を、端子ネジ１０の左右両側に振り分けて、端子板１と座金２０との間に挿入するように施工される可能性が高く、２本の電線Ｗ１，Ｗ１の太さが同じであれば問題はないが、図１１（ｂ）に示すように大径の電線Ｗ１と細径の電線Ｗ３とを接続する場合や、図１１（ｃ）に示すように中細の電線Ｗ２と細径の電線Ｗ３とを接続する場合は、２本の電線の径の違いによって座金２０の傾きが大きくなり、座金２０の傾斜角が限界に達する場合がある。この場合、各々の組み合わせで太い方の電線Ｗ１，Ｗ２は締め付けられるが、細い方の電線Ｗ２，Ｗ３を締め付ける強度が不足して、引張り強度が低下するという問題があった。なお座金２０に設けた貫通孔の孔径を大きくすれば、座金２０の傾斜角の限界が大きくなり、電線径の差がより大きな場合でも２本の電線の締付力を確保できるが、貫通孔の孔径を大きくすると座金２０の強度が低下するので、貫通孔の孔径を大きくするのにも限界がある。
【０００６】
本発明は上記問題点に鑑みて為されたものであり、その目的とするところは、線径の異なる２本の電線を端子ネジの左右に振り分けて接続した場合でも電線の引張り強度を高めて確実に電線を保持できる端子装置を提供することにある。
【課題を解決するための手段】
【０００７】
上記目的を達成するために、請求項１の発明は、ネジ孔を有する平板状の端子板と、表面にドライバー溝が形成された頭部および該頭部の裏面に突設された棒状の首部を有し、該首部の先端部にネジ孔と螺合するネジ部が形成された端子ネジと、表裏を貫通する貫通孔を有し、該貫通孔に端子ネジの首部を挿通した状態で端子ネジに遊嵌されて端子板との間で電線を挟持する座金とで構成され、座金における端子板との対向面に、貫通孔を通り且つ端子板の表面と略垂直な第１の平面に対して対称な形状に形成された同径電線保持部を設けるとともに、座金における端子板との対向面に、貫通孔を通り且つ端子板の表面と略垂直な第２の平面を間にした両側部の内、一方の側部と端子板との間の最大隙間が他方の側部と端子板との間の最大隙間よりも大きくなるように、第２の平面に対して非対称な形状に形成された異径電線保持部を設けて成ることを特徴とする。
【０００８】
この発明によれば、端子板と対向する座金の面に同径電線保持部と異径電線保持部とを設けてあり、同径電線保持部は第１の平面に対して対称な形状に形成されているので、座金と端子板との間の隙間は第１の平面を挟んだ両側部で同じ寸法となり、同径の電線を２本接続する場合には第１の平面を挟んで同径電線保持部の両側部に２本の電線を振り分けて接続すれば、２本の電線を略同じ締付力で締め付けることができる。さらに異径電線保持部は第２の平面に対して非対称な形状に形成されており、座金と端子板との間の最大隙間は第２の平面を間にした一方の側部に比べて他方の側部の方が大きくなっているので、異径の電線を２本接続する場合には、座金と端子板との間の最大隙間が大きい方に太い方の電線を接続し、最大隙間が小さい方に細い方の電線を接続することで、２本の電線の締付力の差を少なくして、細い方の電線の引張り強度を高めることができる。また１つの座金に同径電線保持部と異径電線保持部とを設けているので、同径の電線を接続する場合と異径の電線を接続する場合とで２枚の座金を用意する必要がない。
【０００９】
請求項２の発明は、請求項１の発明において、同径電線保持部及び異径電線保持部は、第１及び第２の平面が所定の角度で交差するようにして座金の同じ面に設けられたことを特徴とする。
【００１０】
この発明によれば、同径電線保持部及び異径電線保持部は、第１及び第２の平面が所定の角度で交差するようにして座金の同じ面に設けられているので、２本の電線を座金と端子板との間で挟持する際に、電線にあてがう座金の角度を変えることによって、２本の電線を同径電線保持部或いは異径電線保持部の何れかで保持させることができ、請求項１の発明と同様、同径の電線を接続する場合と異径の電線を接続する場合とで２枚の座金を用意する必要がなく、施工性が向上する。
【００１１】
請求項３の発明は、請求項２の発明において、端子板が固定される端子台を備え、該端子台に電線の挿入方向に沿って端子板の両側に隔壁を設け、ネジ部の一部がネジ孔に螺合している状態で、端子板の表面から隔壁の先端までの長さよりも、端子板の表面から首部に遊嵌された座金までの距離が長くなるように首部の長さを設定したことを特徴とする。
【００１２】
この発明によれば、端子装置に電線を挿入し直すために、電線にあてがう部位を同径電線保持部から異径電線保持部へ、或いは、異径電線保持部から同径電線保持部へ変更する場合に、端子板の表面から隔壁の先端までの長さよりも端子板の表面から首部に遊嵌された座金までの距離が長くなるまで端子ネジを緩めれば、端子ネジを端子板から外すことなく座金を回して同径電線保持部或いは異径電線保持部を電線にあてがうことができ、端子ネジが落下したり紛失したりすることがなく、施工性が向上する。
【００１３】
請求項４の発明は、請求項１の発明において、座金は表裏両面の何れかを選択的に端子板に対向させて用いられるものであって、座金の一方の面に同径電線保持部を設けるとともに、他方の面に異径電線保持部を設けたことを特徴とする。
【００１４】
この発明によれば、座金における一方の面に同径電線保持部が、他方の面に異径電線保持部がそれぞれ設けられているので、２本の電線を座金と端子板との間で挟持する際に、電線にあてがう座金の面を変えることによって、２本の電線を同径電線保持部或いは異径電線保持部の何れかで保持させることができ、請求項１の発明と同様、同径の電線を接続する場合と異径の電線を接続する場合とで２枚の座金を用意する必要がなく、施工性が向上する。
【００１５】
請求項５の発明は、請求項１の発明において、座金における端子板との対向面を端子板の表面に対して斜めに傾斜するようなテーパ面に形成するとともに、テーパ面の全面に傾斜方向に沿って延びる複数の凹溝を並べて形成することで凹凸を設け、電線の挿入方向から座金を見て端子ネジの左右両側が対称な形状になるように座金が回転した状態で電線を保持する座金の部位で同径電線保持部を構成し、電線の挿入方向から座金を見て端子ネジの左右両側が非対称な形状になるように座金が回転した状態で電線を保持する座金の部位で異径電線保持部を構成したことを特徴とする。
【００１６】
この発明によれば、座金の一方の面には端子板の表面に対して斜めに傾斜するようなテーパ面が形成されており、太さの異なる２本の電線を接続する場合には、端子ネジを締め付けて行く過程でテーパ面に加わる摩擦力によって座金が回転し、２本の電線の径の違いを埋めるような角度に座金が填り込むので、２本の電線の締付力の差を少なくして、２本の電線の引張り強度を高めることができる。また太さが略同じ２本の電線を接続する場合には、端子ネジを締め付けて行く過程でテーパ面に加わる摩擦力によって、電線の挿入方向から座金を見て端子ネジの左右両側が略対称な形状になる角度まで座金が回転するが、テーパ面の全面に傾斜方向に沿って延びる複数の凹溝を並べて形成することで凹凸が形成されているので、この凹凸に加わる摩擦力によって、２本の電線にかかる締付力が均等になる角度まで座金がさらに回転して、２本の電線の締付力の差をさらに低減することができる。このように端子ネジを締め付けていく過程で２本の電線の径の違いを埋める位置まで座金が回転していくので、電線の径の違いを考慮することなく施工が行える。
【発明の効果】
【００１７】
以上説明したように、請求項１の発明によれば、端子板と対向する座金の面に同径電線保持部と異径電線保持部とを設けてあり、同径電線保持部は第１の平面に対して対称な形状に形成されているので、座金と端子板との間の隙間は第１の平面を挟んだ両側部で同じ寸法となり、同径の電線を２本接続する場合には第１の平面を挟んで同径電線保持部の両側部に２本の電線を振り分けて接続すれば、２本の電線を略同じ締付力で締め付けることができる。さらに異径電線保持部は第２の平面に対して非対称な形状に形成されており、座金と端子板との間の最大隙間は第２の平面を間にした一方の側部に比べて他方の側部の方が大きくなっているので、異径の電線を２本接続する場合には、座金と端子板との間の最大隙間が大きい方に太い方の電線を接続し、最大隙間が小さい方に細い方の電線を接続することで、２本の電線の締付力の差を少なくして、細い方の電線の引張り強度を高めることができる。また１つの座金に同径電線保持部と異径電線保持部とを設けているので、同径の電線を接続する場合と異径の電線を接続する場合とで２枚の座金を用意する必要がない。
【００１８】
請求項２の発明によれば、同径電線保持部及び異径電線保持部は、第１及び第２の平面が所定の角度で交差するようにして座金の同じ面に設けられているので、２本の電線を座金と端子板との間で挟持する際に、電線にあてがう座金の角度を変えることによって、２本の電線を同径電線保持部或いは異径電線保持部の何れかで保持させることができ、請求項１の発明と同様、同径の電線を接続する場合と異径の電線を接続する場合とで２枚の座金を用意する必要がなく、施工性が向上する。
【００１９】
請求項３の発明によれば、端子装置に電線を挿入し直すために、電線にあてがう部位を同径電線保持部から異径電線保持部へ、或いは、異径電線保持部から同径電線保持部へ変更する場合に、端子板の表面から隔壁の先端までの長さよりも端子板の表面から首部に遊嵌された座金までの距離が長くなるまで端子ネジを緩めれば、端子ネジを端子板から外すことなく座金を回して同径電線保持部或いは異径電線保持部を電線にあてがうことができ、端子ネジが落下したり紛失したりすることがなく、施工性が向上する。
【００２０】
請求項４の発明によれば、座金における一方の面に同径電線保持部が、他方の面に異径電線保持部がそれぞれ設けられているので、２本の電線を座金と端子板との間で挟持する際に、電線にあてがう座金の面を変えることによって、２本の電線を同径電線保持部或いは異径電線保持部の何れかで保持させることができ、請求項１の発明と同様、同径の電線を接続する場合と異径の電線を接続する場合とで２枚の座金を用意する必要がなく、施工性が向上する。
【００２１】
請求項５の発明によれば、座金の一方の面には端子板の表面に対して斜めに傾斜するようなテーパ面が形成されており、太さの異なる２本の電線を接続する場合には、端子ネジを締め付けて行く過程でテーパ面に加わる摩擦力によって座金が回転し、２本の電線の径の違いを埋めるような角度に座金が填り込むので、２本の電線の締付力の差を少なくして、２本の電線の引張り強度を高めることができる。また太さが略同じ２本の電線を接続する場合には、端子ネジを締め付けて行く過程でテーパ面に加わる摩擦力によって、電線の挿入方向から座金を見て端子ネジの左右両側が略対称な形状になる角度まで座金が回転するが、テーパ面の全面に傾斜方向に沿って延びる複数の凹溝を並べて形成することで凹凸が形成されているので、この凹凸に加わる摩擦力によって、２本の電線にかかる締付力が均等になる角度まで座金がさらに回転して、２本の電線の締付力の差をさらに低減することができる。このように端子ネジを締め付けていく過程で２本の電線の径の違いを埋める位置まで座金が回転していくので、電線の径の違いを考慮することなく施工が行える。
【発明を実施するための最良の形態】
【００２２】
以下に本発明の実施の形態を図面に基づいて説明する。
【００２３】
（実施形態１）
本発明に係る端子装置の一実施形態を図１〜図４に基づいて説明する。尚、以下の説明では特に断りがないかぎり、図３（ａ）に示す向きにおいて上下左右の方向を規定し、図３（ａ）における正面を前面とする。
【００２４】
本実施形態の端子装置は、図１及び図３に示すように、ネジ孔（図示せず）を有する平板状の端子板１と、表面にドライバー溝が形成された頭部１１および該頭部１１の裏面に突設された棒状の首部１２を有し、該首部１２の先端部に端子板１のネジ孔と螺合するネジ部１３が形成された端子ネジ１０と、平面視の形状が正方形状の板金に曲げ加工を施すことによって形成され、表裏を貫通する貫通孔２１が略中央に設けられ、該貫通孔２１に端子ネジ１０の首部１２を挿通した状態で端子ネジ１０に遊嵌されて端子板１との間で電線を挟持する座金２０と、端子ネジ１０の首部１２における座金２０と頭部１１との間の部位に遊嵌されたばね座金３０と、端子板１が固定される端子台４０とで構成される。
【００２５】
図２（ａ）〜（ｃ）は座金２０における端子板１との対向面（下面）を示しており、座金２０の左右方向（図１（ａ）のＸ方向）に沿う両側縁は、左右方向の両端部と中間部がそれぞれ下方に突出するように曲成されて、貫通孔２１を挟んで左右両側部に同径の電線Ｗ１，Ｗ２を保持するための保持溝２２ａ，２２ｂが形成されている（図１（ｃ）参照）。ここで、保持溝２２ａ，２２ｂは貫通孔２１を通り且つ端子板１の表面と略垂直な第１の平面ａ１に対して対称な形状に形成されており、これらの保持溝２２ａ，２２ｂから同径電線保持部２２が構成される。
【００２６】
また座金２０の前後方向（図１（ａ）のＹ方向）に沿う両側縁は、前後方向の両端部と中間部がそれぞれ下方に突出するように曲成されて、貫通孔２１を挟んで前後両側部に異径の電線Ｗ１，Ｗ２を保持するための保持溝２３ａ，２３ｂが形成されている（図１（ｂ）参照）。ここで、後側の保持溝２３ａと端子板１の表面との間の最大隙間の方が、前側の保持溝２３ｂと端子板１の表面との間の最大隙間よりも大きくなるように、保持溝２３ａ，２３ｂは貫通孔２１を通り且つ端子板１の表面と略垂直な第２の平面ａ２に対して非対称な形状に形成されており、これらの保持溝２３ａ，２３ｂから異径電線保持部２３が構成される。
【００２７】
また端子板１が固定される端子台４０は樹脂成型品からなり、上面と前面とで形成される角部に上側及び前側に開放された凹部４２が設けられ、この凹部４２の底に端子板１が配置されている。そして、凹部４２の三方の内側壁４１（隔壁）によって端子板１の周りが囲まれている。
【００２８】
上述のように本実施形態では、座金２０の１つの面に同径電線保持部２２と異径電線保持部２３とを第１の平面ａ１と第２の平面ａ２とが略直角に交わるようにして設けてあるので、太さが略同じ２本の電線を接続する場合は同径電線保持部２２を電線にあてがい、太さが大きく異なる２本の電線を接続する場合は座金２０を９０度回転させて異径電線保持部２３を電線にあてがうというように、２本の電線の径の組み合わせに応じて同径電線保持部２２と異径電線保持部２３とを使い分けることができる。また１つの座金２０に同径電線保持部２２と異径電線保持部２３とを設けているので、同径の電線を接続する場合と異径の電線を接続する場合とで２枚の座金を用意する必要がない。
【００２９】
而して、この端子装置に太さが同一若しくは略同じ２本の電線Ｗ１，Ｗ１を接続する際には、図３（ａ）に示すように電線の挿入方向から見て同径電線保持部２２が手前側にくるように座金２０を取り付けておき、座金２０における端子ネジ１０の左右両側部（すなわち保持溝２２ａ，２２ｂ）と端子板１との間の隙間に電線Ｗ１，Ｗ１をそれぞれ挿入して、端子ネジ１０を締め付けると、端子板１と座金２０との間の隙間が狭まって、電線Ｗ１，Ｗ１が端子板１と座金２０との間で挟持される。ここで、同径電線保持部２２の保持溝２２ａ，２２ｂは第１の平面ａ１に対して対称な形状に形成されており、座金２０における端子ネジ１０の左右両側部と端子板１との間の隙間の大きさが略等しくなっているので、同径或いは太さの違いが少ない２本の電線を接続する場合は、同径電線保持部２２を電線にあてがって端子ネジ１０を締め付ければ、２本の電線をほぼ同じ締付力で保持することができる。
【００３０】
一方、図３（ｂ）に示すように大径の電線Ｗ１と細径の電線Ｗ３とを接続する場合や、図３（ｃ）に示すように中細の電線Ｗ２と細径の電線Ｗ３とを接続する場合など、同径電線保持部２２では電線の締め付けに問題がある場合には、電線の挿入方向から見て異径電線保持部２３が手前側にくるように座金２０を取り付けておき、座金２０における端子ネジ１０の左側部（保持溝２３ａ）と端子板１との間の隙間に径の太い電線を挿入するとともに、右側部（保持溝２３ｂ）と端子板１との間の隙間に径の細い電線を挿入して、端子ネジ１０を締め付けると、端子板１と座金２０との間の隙間が狭まって、２本の電線Ｗ１とＷ３又は電線Ｗ２とＷ３が端子板１と座金２０との間で挟持される。
【００３１】
ここで、異径電線保持部２３の保持溝２３ａ，２３ｂは第２の平面ａ２に対して非対称な形状に形成されており、座金２０における端子ネジ１０の左側部と端子板１との間の最大隙間が、端子ネジ１０の右側部と端子板１との間の最大隙間よりも大きくなっているので、座金２０と端子板１との間の最大隙間が大きい方（つまり深さの深い保持溝２３ａ）に太い方の電線を接続し、最大隙間が小さい方（つまり深さの浅い保持溝２３ｂ）に細い方の電線を接続することで、２本の電線の径の違いを吸収でき、２本の電線の締付力の差を少なくして、細い方の電線の引張り強度を高めることができる。また異径の電線を接続する際には電線の径の違いによって座金２０が傾斜するが（図３（ｂ）（ｃ）参照）、座金２０の傾きが従来のものと同程度であっても、保持溝２３ａ，２３ｂの深さを変えることによって、より大きな電線径の違いに対応でき、且つ、保持溝２３ａ，２３ｂの深さはそれぞれ適用電線太さ範囲の最大径の電線と最小径の電線に合うように設定されているので、電線を締め付ける際に各々の電線との接触面積を広くして、電線との摩擦力を大きくでき、適用電線太さ範囲の範囲内であればどのような太さの電線を２本組み合わせて接続したとしても、２本の電線の締付性を確実に確保することができる。
【００３２】
ところで本実施形態では座金２０の左右両側および後側に内側壁４１が立設されているので、端子ネジ１０を端子板１に螺合している状態では座金２０が内側壁４１に干渉して、端子ネジ１０を締め付けても座金２０が回転できず、座金２０の向きを９０度回転させるためには、一旦端子ネジ１０を端子板１から外した後、座金２０の向きを所望の向きに向けて端子板１に螺合させる必要がある。そこで、図４（ｂ）に示すように、ネジ部１３の一部が端子板１のネジ孔１ａに螺合している状態で、端子板１の表面から内側壁４１の先端までの長さよりも、端子板１の表面から首部１２に遊嵌された座金２０までの距離が長くなるように首部１２の長さを設定しても良く、この場合は端子板１の表面から内側壁４１の先端までの長さよりも端子板１の表面から首部１２に遊嵌された座金２０までの距離が長くなるまで端子ネジ１０を緩めれば、座金２０が内側壁４１よりも上側にくるので、図４（ａ）に示すように端子ネジ１０を端子板１から完全に外すことなく座金２０を９０度回して同径電線保持部２２或いは異径電線保持部２３を電線にあてがうことができ、端子ネジが落下したり紛失したりすることがなく、施工性が向上する。
【００３３】
（実施形態２）
本発明の実施形態２を図５及び図６に基づいて説明する。なお座金２０’以外の端子装置の構成は実施形態１と同様であるので、共通する構成要素には同一の符号を付してその説明は省略し、実施形態１と異なる部分のみを説明する。
【００３４】
上述の実施形態１では、座金２０の１つの面に同径電線保持部２２と異径電線保持部２３とを設け、座金２０を回転させることで同径電線保持部２２又は異径電線保持部２３を使い分けているが、本実施形態では座金２０’の一方の面に同径電線保持部２２を設けるとともに、他方の面に異径電線保持部２３を設け、座金２０’の面を裏返すことで同径電線保持部２２又は異径電線保持部２３の何れかを選択して電線にあてがうようにしている。
【００３５】
座金２０’は、平面視の形状が矩形状の板金に曲げ加工を施すことによって形成され、表裏を貫通する貫通孔２１が略中央に形成されている。そして、座金２０’の一方の面には、短幅方向における貫通孔２１の両側部にそれぞれ長手方向に沿って延びる保持溝２２ａ，２２ｂが形成され、他方の面には、短幅方向における貫通孔２１の両側部にそれぞれ長手方向に沿って延びる保持溝２３ａ，２３ｂが形成されている。
【００３６】
ここで、保持溝２２ａ，２２ｂは貫通孔２１を通り、座金２０’の長手方向と平行で且つ端子板１の表面と略垂直な平面ａ３（第１の平面）に対して対称な形状に形成されており、これらの保持溝２２ａ，２２ｂから同径電線保持部２２が構成される。また保持溝２３ａ，２３ｂは、図５（ｄ）における左側の保持溝２３ａと端子板１の表面との間の最大隙間の方が、右側の保持溝２３ｂと端子板１の表面との間の最大隙間よりも大きくなるように平面ａ３（第２の平面）に対して非対称な形状に形成されており、これらの保持溝２３ａ，２３ｂから異径電線保持部２３が構成される。
【００３７】
而して、この端子装置に太さが同じ或いは太さの違いが少ない２本の電線を接続する際には、図５（ａ）（ｂ）に示すように保持溝２２ａ，２２ｂの形成された面が端子板１側（下側）を向くように座金２０’を取り付けておき、座金２０’における端子ネジ１０の左右両側部（すなわち保持溝２２ａ，２２ｂ）と端子板１との間の隙間に２本の電線をそれぞれ挿入して、端子ネジ１０を締め付けると、端子板１と座金２０’との間の隙間が狭まって、２本の電線が端子板１と座金２０’との間で挟持される。ここで、同径電線保持部２２は平面ａ３に対して対称な形状に形成されており、座金２０’における端子ネジ１０の左右両側部と端子板１との間の隙間の大きさが略等しくなっているので、同径或いは太さの違いが少ない２本の電線を接続する場合は、同径電線保持部２２を電線にあてがって電線を保持すれば、２本の電線をほぼ同じ締付力で保持することができる。
【００３８】
一方、この端子装置に大きく太さが異なる２本の電線を接続する場合は、図５（ｃ）（ｄ）に示すように保持溝２３ａ，２３ｂの形成された面が端子板１側（下側）を向くように座金２０’を取り付けておき、座金２０’における端子ネジ１０の左側部（保持溝２３ａ）と端子板１との間の隙間に径の太い電線を挿入するとともに、右側部（保持溝２３ｂ）と端子板１との間の隙間に径の細い電線を挿入して、端子ネジ１０を締め付けると、端子板１と座金２０’との間の隙間が狭まって、２本の電線が端子板１と座金２０’との間で挟持される。
【００３９】
ここで、異径電線保持部２３の保持溝２３ａ，２３ｂは平面ａ３に対して非対称な形状に形成されており、座金２０’における端子ネジ１０の左側部と端子板１との間の最大隙間が、端子ネジ１０の右側部と端子板１との間の最大隙間よりも大きくなっているので、座金２０’と端子板１との間の最大隙間が大きい方に太い方の電線を接続し、最大隙間が小さい方に細い方の電線を接続することで、２本の電線の径の違いを吸収でき、２本の電線の締付力の差を少なくして、細い方の電線の引張り強度を高めることができる。また異径の電線を接続する際には電線の径の違いによって座金２０’が傾斜するが、座金２０’の傾きが従来のものと同程度であっても、保持溝２３ａ，２３ｂの深さを変えることによって、より大きな電線径の違いに対応でき、且つ、保持溝２３ａ，２３ｂの深さはそれぞれ適用電線太さ範囲の最大径の電線と最小径の電線に合うように設定されているので、電線を締め付ける際に各々の電線との接触面積を広くして、電線との摩擦力を大きくでき、適用電線太さ範囲の範囲内であればどのような太さの電線を２本組み合わせて接続したとしても、２本の電線の締付性を確実に確保することができる。また１つの座金２０’に同径電線保持部２２と異径電線保持部２３とを設けているので、同径の電線を接続する場合と異径の電線を接続する場合とで２枚の座金を用意する必要がない。
【００４０】
（実施形態３）
本発明の実施形態３を図７〜図９に基づいて説明する。なお座金２０″以外の端子装置の構成は実施形態１と同様であるので、共通する構成要素には同一の符号を付してその説明は省略し、実施形態１と異なる部分のみを説明する。
【００４１】
座金２０″は板金に抜き加工を施すことによって平面視の形状を丸型に形成するとともに、中心に貫通孔２１が形成されており、端子板１との対向面には端子板１の表面に対して斜めに傾斜するテーパ面２４を形成してある。またテーパ面２４には、テーパ面２４の傾斜方向に沿って延びる複数の凹溝２５を一定間隔で並べて形成することで、表面に凹凸を形成してある。
【００４２】
ここで、端子ネジ１０を挟んで左右両側の座金２０″と端子板１との間の隙間に２本の電線を挿入した状態で端子ネジ１０を締め付けると、端子ネジ１０を締め付けていく過程でテーパ面２４に加わる摩擦力によって座金２０″が回転し、座金２０″と端子板１との間の隙間が２本の電線の径に一致する角度に座金２０″が填り込む。
【００４３】
例えば図９（ａ）に示すように太さの略同じ２本の電線Ｗ１，Ｗ１を接続する場合は、端子ネジ１０を締め付けていく過程でテーパ面２４に加わる摩擦力によって、電線Ｗ１，Ｗ１の挿入方向から座金２０″を見て端子ネジ１０の左右両側が略対称な形状になる角度まで座金２０″が回転するが、テーパ面２４の全面に傾斜方向に沿って延びる複数の凹溝２５を並べて形成することで凹凸が形成されているので、この凹凸に加わる摩擦力によって、２本の電線Ｗ１，Ｗ１にかかる締付力が均等になる角度まで座金２０″がさらに回転して、２本の電線の締付力の差をさらに低減することができる。ここで、電線Ｗ１，Ｗ１の挿入方向から座金２０″を見た時に端子ネジ１０を挟んで左右両側が対称な形状になるように座金２０を回転させた状態で電線Ｗ１，Ｗ１を保持する座金２０″の部位が同径電線保持部となる。
【００４４】
一方、図９（ｂ）に示すように太さが大きく異なる２本の電線Ｗ１，Ｗ３を接続する場合は、端子ネジ１０を締め付けていく過程でテーパ面２４に加わる摩擦力によって座金２０″が回転し、電線Ｗ１，Ｗ１の挿入方向（前側）から座金２０″を見た時に端子ネジ１０を挟んで左右両側が非対称な形状となり、且つ、端子ネジ１０の左右両側で座金２０″と端子板１との間の隙間が２本の電線Ｗ１，Ｗ３の線径に略一致する位置に座金２０″が填り込むので、２本の電線Ｗ１，Ｗ３の締付力の差を少なくして、２本の電線Ｗ１，Ｗ３の引張り強度を高めることができる。ここで、電線Ｗ１，Ｗ３の挿入方向から座金２０″を見た時に端子ネジ１０を挟んで左右両側が非対称な形状になるように座金２０″を回転させた状態で電線Ｗ１，Ｗ３を保持する座金２０″の部位が異径電線保持部となる。
【００４５】
このように本実施形態では端子ネジ１０を締め付けていく過程で、２本の電線の線径の違いを埋める位置まで座金２０″が自動的に回転していくので、２本の電線の太さの違いを考慮することなく施工が行える。
【００４６】
なお、本実施形態では座金２０″が端子ネジ１０の首部１２の軸方向に対して多少傾きをもてるように、従来の端子装置と同様に貫通孔２１の孔径に少し余裕を持たせてある。
【図面の簡単な説明】
【００４７】
【図１】実施形態１の端子装置を示し、（ａ）は一部省略せる平面図、（ｂ）は一部省略せる左側面図、（ｃ）は一部省略せる下面図である。
【図２】（ａ）〜（ｃ）は同上に用いる座金を裏側から見た斜視図である。
【図３】同上に電線を接続した状態を示し、（ａ）は同径の電線を接続した状態の断面図、（ｂ）（ｃ）は異径の電線を接続した状態の断面図である。
【図４】同上の別の端子装置を示し、（ａ）は平面図、（ｂ）は側断面図である。
【図５】実施形態２の端子装置を示し、（ａ）は同径電線保持部で電線を押さえる場合の平面図、（ｂ）はその場合の下面図、（ｃ）は異径電線保持部で電線を押さえる場合の平面図、（ｄ）はその場合の下面図である。
【図６】同上に用いる座金の外観斜視図である。
【図７】実施形態３の端子装置を示し、（ａ）は一部省略せる平面図、（ｂ）は一部省略せる下面図である。
【図８】同上に用いる座金を示し、（ａ）は斜視図、（ｂ）はテーパ面を上側にした状態の斜視図、（ｃ）はＢ部拡大断面図である。
【図９】同上に電線を接続した状態を示し、（ａ）は同径の電線を接続した状態の断面図、（ｂ）は異径の電線を接続した状態の断面図である。
【図１０】従来の端子装置を示し、（ａ）は一部省略せる平面図、（ｂ）は一部省略せる左側面図、（ｃ）は一部省略せる下面図である。
【図１１】従来の端子装置に電線を接続した状態を示し、（ａ）は同径の電線を接続した状態の断面図、（ｂ）（ｃ）は異径の電線を接続した状態の断面図である。
【符号の説明】
【００４８】
１    端子板
１０  端子ネジ
２０  座金
３０  ばね座金
２２  同径電線保持部
２２ａ，２２ｂ  保持溝
２３  異径電線保持部
２３ａ，２３ｂ  保持溝
ａ１  第１の平面
ａ２  第２の平面
【図１】
2005071881.tif 000003
【図２】
2005071881.tif 000004
【図３】
2005071881.tif 000005
【図４】
2005071881.tif 000006
【図５】
2005071881.tif 000007
【図６】
2005071881.tif 000008
【図７】
2005071881.tif 000009
【図８】
2005071881.tif 000010
【図９】
2005071881.tif 000011
【図１０】
2005071881.tif 000012
【図１１】
2005071881.tif 000013